(57)【特許請求の範囲】
【請求項１】
浴室の除菌方法であって、
少なくともイソプロピルメチルフェノール５〜１５質量％及びアゾジカルボンアミド５０〜９０質量％を含有する加熱蒸散剤（ただし、３−ヨード−２−プロピニルブチルカーバメートは含有しない）を加熱し、前記イソプロピルメチルフェノールを燻煙状で揮散させる工程を含み、
前記工程で、３２ｍ３の部屋の床面中央部の１２５ｃｍの高さにおいて、デジタル粉塵計を用い、加熱開始から１０分後に測定したときの煙量が１０００〜５０００ｃｐｍとなるように煙を発生させることを特徴とする浴室の除菌方法。
【請求項２】
浴室内で少なくともイソプロピルメチルフェノール５〜１５質量％及びアゾジカルボンアミド５０〜９０質量％を含有する加熱蒸散剤（ただし、３−ヨード−２−プロピニルブチルカーバメートは含有しない）を加熱し、３２ｍ３の部屋の床面中央部の１２５ｃｍの高さにおいて、デジタル粉塵計を用い、加熱開始から１０分後に測定したときの煙量が１０００〜５０００ｃｐｍとなるように煙を発生させて前記イソプロピルメチルフェノールを燻煙状で揮散させることを特徴とする、浴室の天井及び壁部のうちの少なくとも一方へのイソプロピルメチルフェノールの付着性を向上させる方法。
【請求項３】
少なくともイソプロピルメチルフェノール５〜１５質量％及びアゾジカルボンアミド５０〜９０質量％を含有する加熱蒸散剤（ただし、３−ヨード−２−プロピニルブチルカーバメートは含有しない）を加熱して、前記イソプロピルメチルフェノールを燻煙状で揮散させる浴室除菌用の加熱蒸散装置であって、
加水発熱物質が収納され、かつ、底部及び側面の底部近傍の少なくとも一方に通液部を有する加水発熱物質収納部と、前記加水発熱物質収納部の上部に配置された前記加熱蒸散剤を収納する加熱蒸散剤収納部とを有し、加熱後に発生する煙量が、３２ｍ３の部屋の床面中央部の１２５ｃｍの高さにおいて、デジタル粉塵計を用い、加熱開始から１０分後に測定したときに１０００〜５０００ｃｐｍとなるように構成されていることを特徴とする加熱蒸散装置。
【発明の詳細な説明】
【技術分野】
【０００１】
本発明は、浴室の除菌方法に関し、詳しくは浴室の天井や壁、該屋内に置かれた物品等に多くの殺菌剤を付着させて、浴室を除菌する浴室の除菌方法に関する。
【背景技術】
【０００２】
近年の住宅は気密性が高く、屋内への外気の流入が制限されるため、カビや雑菌等が繁殖しやすくなっている。また、浴室は気密性が高いことから、湿気が溜まりやすく、とくにカビや雑菌等が繁殖しやすい状況にある。そして部屋や浴室等の屋内の天井部や壁の上部、換気扇等は、日常の清掃が行き届きにくいことから、カビや雑菌等が繁殖しやすく、その除菌が難しいものとなっている。
【０００３】
このような状況の中、浴室内の天井、壁面に防黴成分を塗布するため、炭酸ガス等のガスを利用した自噴式噴霧器を用いて防黴成分を噴霧する浴室の防黴方法が提案されている（例えば、特許文献１参照）。
【先行技術文献】
【特許文献】
【０００４】
【特許文献１】特開２００３−２８６１０４号公報
【発明の概要】
【発明が解決しようとする課題】
【０００５】
特許文献１に記載の浴室の防黴方法では、防黴液剤や黴除去液剤等の液状物を貯留する液状物貯留室と、ガス発生室と、ガス発生室で発生したガスを液状物貯留室へ導入するための連通部とを備えた自噴式噴霧器を用い、ガス発生室で発生したガスのガス圧により液状物の表面を加圧して、液状物を液状物貯留室に備えられた噴霧状ノズルから噴霧させている。
しかしながら、このような従来の技術では、炭酸ガス等を用いてガス圧により薬剤の噴霧を行うことから、薬剤の噴霧、拡散性が十分ではなく、天井や壁面での除菌効果が満足できるものではなく、依然として改善の余地があった。
【０００６】
本発明はこのような問題に鑑みてなされたものであって、部屋や浴室等の屋内の天井や壁面、該屋内に置かれた物品等に多くの殺菌剤を付着させ、天井や壁面、物品等に繁殖したカビや雑菌等を効果的に除菌する屋内の除菌方法であって、特に、浴室内部を除菌するのに好適な浴室の除菌方法を提供することにある。
【課題を解決するための手段】
【０００７】
本発明者らは鋭意研究を重ねた結果、有効成分としてイソプロピルメチルフェノールを用い、これを所定の煙量において燻煙して揮散させることで、上記課題を解決できることを見出し、本発明を完成するに至った。
【０００８】
すなわち本発明は、以下の（１）〜（３）によって達成される。
（１）浴室の除菌方法であって、少なくともイソプロピルメチルフェノール及びアゾジカルボンアミドを含有する加熱蒸散剤を加熱し、前記イソプロピルメチルフェノールを燻煙状で揮散させる工程を含み、前記工程が、１０００ｃｐｍ以上の煙量となるように煙を発生させることを特徴とする浴室の除菌方法。
（２）浴室内で少なくともイソプロピルメチルフェノール及びアゾジカルボンアミドを含有する加熱蒸散剤を加熱し、１０００ｃｐｍ以上の煙量となるように煙を発生させて前記イソプロピルメチルフェノールを燻煙状で揮散させることを特徴とする、浴室の天井及び壁部のうちの少なくとも一方へのイソプロピルメチルフェノールの付着性を向上させる方法。
（３）少なくともイソプロピルメチルフェノール及びアゾジカルボンアミドを含有する加熱蒸散剤を加熱して、前記イソプロピルメチルフェノールを燻煙状で揮散させる浴室除菌用の加熱蒸散用製剤であって、加水発熱物質が収納され、かつ、底部及び側面の底部近傍の少なくとも一方に通液部を有する加水発熱物質収納部と、前記加水発熱物質収納部の上部に配置された前記加熱蒸散剤を収納する加熱蒸散剤収納部とを有し、加熱後に発生する煙量が１０００ｃｐｍ以上となるように構成されていることを特徴とする加熱蒸散用製剤。
【発明の効果】
【０００９】
本発明は、有効成分としてイソプロピルメチルフェノールを用い、これを所定の煙量において燻煙して揮散させることで、イソプロピルメチルフェノールを浴室に隈なく行き渡らせることができる。よって、浴室の天井や壁面、該浴室に置かれた物品等により多くのイソプロピルメチルフェノールを付着させることができ、浴室の内部のカビやその他雑菌等を有効に除菌することができる。
また本発明によれば、特に、湿気の多い浴室の天井、壁面、換気扇やスポンジやタオル等の浴室内物品等を、効率よくかつ効果的に除菌することができるため、優れた除菌効果を奏する。
【図面の簡単な説明】
【００１０】
【図１】本発明の加熱蒸散用製剤の一実施形態を説明するための断面図である。
【図２】除菌試験の試験方法を説明するための模式図である。
【発明を実施するための形態】
【００１１】
以下、本発明の実施形態をさらに詳しく説明する。
本発明の浴室の除菌方法は、少なくともイソプロピルメチルフェノール及びアゾジカルボンアミドを含有する加熱蒸散剤を加熱し、前記イソプロピルメチルフェノールを燻煙状で揮散させる工程を含む。
【００１２】
本発明の方法では、加熱蒸散剤の加熱開始から１０分後に浴室内が１０００ｃｐｍ以上の煙量となるように煙を発生させる。加熱開始から１０分後の煙量が１０００ｃｐｍ以上であれば、浴室空間を構成する天井部や壁部（特に、壁部の上部）等の壁面、照明装置、換気扇、浴室内物品等の浴室内に置かれた物品等、掃除では手の届きにくい場所にまで揮散したイソプロピルメチルフェノールを付着させることができる。
加熱開始から１０分後の煙量は、好ましくは１３００ｃｐｍ以上、より好ましくは１７００ｃｐｍ以上とするのがよい。また、煙量の上限は、好ましくは５０００ｃｐｍ以下、より好ましくは４５００ｃｐｍ以下とするのがよい。前記好ましい範囲の煙量であると、特に浴室の天井部や壁部の上部に対してもイソプロピルメチルフェノールを効率よく付着させることができるため好ましい。
ここで、本発明で言う「加熱開始から１０分後の煙量」とは、約３２ｍ３（８畳の部屋に相当）の部屋の床面中央部の１２５ｃｍの高さにおいて、デジタル粉塵計を用い、加熱開始から１０分後に測定した煙量（単位：ｃｐｍ）を意味する。
【００１３】
加熱開始から１０分後の煙量は、加熱蒸散剤に含まれるアゾジカルボンアミドの配合量、デンプン等の有機物の配合量、パーライト等の無機物の配合量、発熱温度や昇温速度等の発熱パターン等により調整することができる。アゾジカルボンアミドおよび有機物は、これらを含有することで煙量を増量させることができ、無機物は含有することで煙量を減量させることができる。そのため、これらの含有量を特定の値にすることで煙量を調整することができる。
【００１４】
本発明の加熱蒸散剤の有効成分であるイソプロピルメチルフェノール（化学名；３−メチル−４−イソプロピルフェノール）は、市販品又は公知の方法により合成したものを使用することができる。市販品としては、例えば、大阪化成社製のイソプロピルメチルフェノール等が挙げられる。
【００１５】
イソプロピルメチルフェノールの加熱蒸散剤中の含有量は、除菌対象とする浴室の容積によって適宜設定すればよいが、１０〜１０００ｍｇが揮散するように含有させればよい。具体的には、加熱蒸散剤中にイソプロピルメチルフェノールを１〜２０質量％含有させるのが好ましく、５〜１５質量％がより好ましい。
【００１６】
アゾジカルボンアミドは有機発泡剤の１種であり、分解温度は約２００℃である。アゾジカルボンアミドは、分解温度、分解速度の調整が可能であり、ガス発生量も多く、拡散性に優れる。アゾジカルボンアミドは市販品又は公知の方法により合成したものを使用することができる。市販品としては、例えば、大塚化学社製「ユニフォームＡＺ」、三協化成社製「セルマイク」等が挙げられる。
【００１７】
アゾジカルボンアミドの加熱蒸散剤中の含有量は、加熱後に発生する煙量が１０００ｃｐｍ以上となるように、除菌対象とする浴室の容積によって適宜設定すればよい。具体的には、加熱蒸散剤中にアゾジカルボンアミドを３０〜９９質量％含有させるのが好ましく、５０〜９０質量％がより好ましい。なお、上記割合となるようにアゾジカルボンアミドを含有させればよいが、その実際量は、加熱蒸散剤中に０．０１〜２０ｇとなるように含有させればよく、好ましくは１〜１０ｇとなるように含有させるのがよい。
【００１８】
無機物の加熱蒸散剤中の含有量は、加熱後に発生する煙量が１０００ｃｐｍ以上となるように、かつ適度な使用感を得られるように除菌対象とする浴室の容積によって適宜設定すればよい。例えば、加熱蒸散剤中に０．００１〜２０ｇとなるように含有させればよく、好ましくは０．０１〜１０ｇとなるように含有させるのがよい。
【００１９】
有機物の加熱蒸散剤中の含有量は、加熱後に発生する煙量が１０００ｃｐｍ以上となるように、除菌対象とする浴室の容積によって適宜設定すればよい。例えば、加熱蒸散剤中に０．００１〜２０ｇとなるように含有させればよく、好ましくは０．０１〜１０ｇとなるように含有させるのがよい。
【００２０】
加熱蒸散剤には本発明の効果を奏する限り、任意の成分を含んでいてもよい。その他の任意成分としては、例えば、消臭剤、香料、結合剤、溶剤、蒸散補助剤、崩壊剤、防錆剤、安定化剤、賦形剤、色素、殺虫剤等を用いることができる。
【００２１】
消臭剤としては、例えば、メタクリル酸ラウリル、ゲラニルクロリネート、カテキン、ポリフェノール、炭等が挙げられる。
【００２２】
香料としては、様々な植物や動物から抽出された天然香料や、化学的に合成される合成香料、さらにはこれらの香料成分を多数混合して作られる調合香料等が挙げられる。
香料は様々な文献、例えば、「Ｐｅｒｆｕｍｅ  ａｎｄ  Ｆｌａｖｏｒ  Ｍａｔｅｒｉａｌｓ  ｏｆ  Ｎａｔｕｒａｌ  Ｏｒｉｇｉｎ」，Ｓｔｅｆｆｅｎ  Ａｒｃｔａｎｄｅｒ，Ａｌｌｕｒｅｄ  Ｐｕｂ．Ｃｏ．（１９６０）、「香りの百科」，日本香料協会編，朝倉書店（１９８９）、「Ｆｌｏｗｅｒ  ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｐａｊａｕｊｉｓ  Ａｎｏｎｉｓ，Ａｌｌｕｒｅｄ  Ｐｕｂ．Ｃｏ．（１９９３）、「Ｐｅｒｆｕｍｅ  ａｎｄ  Ｆｌａｖｏｒ  Ｃｈｅｍｉｃａｌｓ（ａｒｏｍａ  ｃｈｅｍｉｃａｌｓ）」，Ｖｏｌｓ．Ｉ  ａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）、「香料と調香の基礎知識」, 中島基貴編著,産業図書（１９９５）、「合成香料  化学と商品知識」，印藤元一著，化学工業日報社（１９９６）、「香りの百科事典」，谷田貝光克編，丸善（２００５）に記載の香料が使用できる。それぞれを引用することにより本明細書の開示の一部とされる。以下に香料の代表例を具体的に挙げるが、これらに限定されるものではない。
【００２３】
天然香料としては、例えば、オレンジ油、レモン油、ラベンダー油、ラバンジン油、ベルガモット油、パチュリ油、シダーウッド油、ペパーミント油等の天然精油等が挙げられる。
合成香料としては、例えば、α−ピネン、β−ピネン、リモネン、ｐ−サイメン、ターピノレン、α−ターピネン、γ−ターピネン、α−フェランドレン、ミルセン、カンフェン、オシメン等の炭化水素テルペン；ヘプタナール、オクタナール、デカナール、ベンズアルデヒド、サリシリックアルデヒド、フェニルアセトアルデヒド、シトロネラール、ハイドロキシシトロネラール、ハイドロトロピックアルデヒド、リグストラール、シトラール、α−ヘキシルシンナミックアルデヒド、α−アミルシンナミックアルデヒド、リリアール、シクラメンアルデヒド、リラール、ヘリオトロピン、アニスアルデヒド、ヘリオナール、バニリン、エチルバニリン等のアルデヒド類；エチルフォーメート、メチルアセテート、エチルアセテート、メチルプロピオネート、メチルイソブチレート、エチルイソブチレート、エチルブチレート、プロピルブチレート、イソブチルアセテート、イソブチルイソブチレート、イソブチルブチレート、イソブチルイソバレレート、エチル−２−メチルバレレート、イソアミルアセテート、テルピニルアセテート、イソアミルプロピオネート、アミルプロピオネート、アミルイソブチレート、アミルブチレート、アミルイソバレレート、アリルヘキサノエート、エチルアセトアセテート、エチルヘプチレート、ヘプチルアセテート、メチルベンゾエート、エチルベンゾエート、エチルオクチレート、スチラリルアセテート、ベンジルアセテート、ノニルアセテート、ボルニルアセテート、リナリルアセテート、オルト−ｔｅｒ−ブチルシクロヘキシルアセテート、安息香酸リナリル、ベンジルベンゾエート、トリエチルシトレート、エチルシンナメート、メチルサリシレート、ヘキシルサリシレート、ヘキシルアセテート、ヘキシルブチレート、メンチルアセテート、ターピニルアセテート、アニシルアセテート、フェニルエチルイソブチレート、ジャスモン酸メチル、ジヒドロジャスモン酸メチル、エチレンブラシレート、γ−ウンデカラクトン、γ−ノニルラクトン、シクロペンタデカノライド、クマリン等のエステル・ラクトン類；アニソール、ｐ−クレジルメチルエーテル、ジメチルハイドロキノン、メチルオイゲノール、β−ナフトールメチルエーテル、β−ナフトールエチルエーテル、アネトール、ジフェニルオキサイド、ローズオキサイド、ガラクソリド、アンブロックス等のエーテル類；イソプロピルアルコール、ｃｉｓ−３−ヘキセノール、ヘプタノール、２−オクタノール、ジメトール、ジヒドロミルセノール、リナロール、ベンジルアルコール、シトロネロール、ゲラニオール、ネロール、ターピネオール、テトラハイドロゲラニオール、ｌ−メントール、セドロール、サンタロール、チモール、アニスアルコール、フェニルエチルアルコール、ヘキサノール等のアルコール類；ジアセチル、メントン、イソメントン、チオメントン、アセトフェノン、α−又はβ−ダマスコン、α−又はβ−ダマセノン、α−、β−又はγ−ヨノン、α−、β−又はγ−メチルヨノン、メチル−β−ナフチルケトン、ベンゾフェノン、テンタローム、アセチルセドレン、α−又はβ−イソメチルヨノン、α−、β−又はγ−イロン、マルトール、エチルマルトール、ｃｉｓ−ジャスモン、ジヒドロジャスモン、ｌ−カルボン、ジヒドロカルボン、メチルアミルケトン等のケトン類、カンファー、１，８−シネオール、アリルアミルグリコレート、イソプレゴール、リグストラル、アリルカプロエートなどが挙げられる。これらの香料は、１種単独で使用されても、また２種以上を任意に組み合わせて、調合香料として使用することもできる。さらに、香料は香料成分、溶剤、香料安定化剤などを含有する混合物（香料組成物）として使用することもできる。
【００２４】
溶剤としては、例えば、水、エタノール、プロパノール、ベンジルアルコール等のアルコール類、エチレングリコール、ジエチレングリコール、ジプロピレングリコール、グリセリン、１，３−ブタンジオール等の多価アルコール、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノイソブチルエーテル、トリエチレングリコールモノブチルエーテル、プロピレングリコールモノメチルエーテル、プロピレングリコールジメチルエーテル、ジプロピレングリコールモノメチルエーテル、トリプロピレングリコールモノメチルエーテル、トリプロピレングリコールモノブチルエーテル、プロピレングリコールモノプロピルエーテル、ジプロピレングリコールモノプロピルエーテル、プロピレングリコールモノブチルエーテル、プロピレングリコール−ｔｅｒｔ−ブチルエーテル、ジプロピレングリコールモノブチルエーテル、ジプロピレングリコールジメチルエーテル、フェニルカルビトール、フェニルセロソルブ、ベンジルカルビトール等のグリコールエーテル類、流動パラフィン、ｎ−パラフィン等のパラフィン類、ジエチルフタレート、ベンジルベンゾエート、トリエチルシトレート、ミリスチン酸イソプロピル等のエステル類、その他３−メチル−４−メトキシブタノール、Ｎ−メチルピロリドン、炭酸プロピレン等が挙げられる。これらの溶剤は、１種単独で使用されても、また２種以上を任意に組み合わせて使用することもできる。また、上記香料成分とともに混合し、香料組成物として使用することもできる。
【００２５】
香料は、本発明の加熱蒸散剤中には所定のバランスとなるように適宜配合できる。香料は、使用時に加熱蒸散剤中に、通常、０．００００１〜５０質量％含有されるが、好ましくは、０．０００１〜３０質量％含有される。香料を含有する場合、含有量が０．００００１質量％未満だと十分な香り立ちが得られない場合があり、５０質量％を超えると香りが強すぎる可能性がある。
【００２６】
結合剤としては、例えば、カルボキシメチルセルロース、ヒドロキシメチルセルロース、ヒドロキシプロピルメチルセルロース等のセルロース類；α化デンプン、β化デンプン、デキストリン、スターチ等のデンプン系、アラビアゴム等の天然系高分子化合物；ポリビニルアルコール、ポリビニルピロリドン等の合成高分子化合物等が挙げられる。
【００２７】
蒸散補助剤としては、例えば、ステアリン酸亜鉛、ステアリン酸アルミニウム、ステアリン酸バリウム、ステアリン酸カルシウム、酸化亜鉛、炭酸亜鉛、炭酸カルシウム、二酸化チタン、カーボンブラック、三酸化アンチモン、デカブロモジフェニレンオキサイド、無水トリメリット酸、無水マレイン酸、ベンゾトリアゾール、４，４’−オキシビス（ベンゼンスルホニルヒドラジド）、尿素等が挙げられる。
【００２８】
崩壊剤としては、例えば、パラオキシ安息香酸エステル、ステアリン酸エステル、乳酸エチル、サリチル酸クロロフェニル等の有機酸エステル；乳酸、リンゴ酸、フマル酸、酒石酸、アジピン酸、コハク酸等の有機酸、リン酸等の無機酸等が挙げられる。
防錆剤としては、例えば、１，２，３−ベンゾトリアゾール、ジシクロヘキシルアンモニウムナイトライト等が挙げられる。
安定化剤としては、例えば、ジブチルヒドロキシトルエン、ブチルヒドロキシアニソール、トコフェロール等が挙げられる。
【００２９】
賦形剤としては、例えば、パーライト、タルク、珪藻土、クレイ、ベントナイト、粘土鉱物などの鉱物、ショ糖、ブドウ糖などの糖、マルチトール、ソルビトール、キシリトールなどの糖アルコール等が挙げられる。
【００３０】
本発明の加熱蒸散剤は、その形態は特に限定されず、例えば、顆粒状、塊状、粒状，粉状，錠剤等の固形状等任意の形態とすることができる。
固形状の加熱蒸散剤とする場合は、各成分を公知の造粒機や成形機を用いて所望の形状に成形すればよい。
【００３１】
本発明の浴室の除菌方法により除菌する対象としては、細菌及び真菌が挙げられる。細菌としては、具体的に、緑膿菌（Pseudomonas aeruginosa）等のシュードモナス（Pseudomonas）属細菌、大腸菌（Escherichia coli）などのエシェリヒア（Escherichia）属、Bacillus subtilis、Bacillus cereus等のバチルス（Bacillus）属細菌、Methylobacterium mesophilicum等のメチロバクテリウム（Methylobacterium）属、黄色ブドウ球菌（Staphylococcus aureus）等のスタフィロコッカス（Staphylococcus）属、乳酸菌などのグラム陽性菌が挙げられる。真菌としては、具体的に、クロカワカビ（Cladosporium cladosporioides）等のクラドスポリウム（Cladosporium）属、アオカビ（Penicillium citrinum）等のPenicillium属、コウジカビ（Aspergillus brasiliensis）等のAspergillus属、ススカビ（Alternaria alternata）等のAlternaria属、アカカビ（Fusarium solani）等のFusarium属、Eurotium herbariorum等のユーロチウム（Eurotium）属、赤色酵母（Rhodotorula mucilaginosa）等のロドトルラ（Rhodotorula）属、アウレオバシジウム（Aureobasidum）属、エキソフィアラ（Exophiala）属等の黒色酵母類、フォーマ（Phoma）属、カンジダ（Candida）属、サッカロマイセス（Saccharomyces）属等が挙げられる。
【００３２】
本発明の加熱蒸散剤を用いて除菌する対象としては浴室であり、カビや雑菌等が繁殖しやすい湿気の多い空間として、浴室の他に、居間、寝室などの部屋、押入れ、クローゼット、台所、便所等で使用してもよい。
【００３３】
浴室の構造は、一般的に、天井部、壁部及び洗い場の床面部で構成され、浴室内を照明する光源（照明装置）、換気扇、シャワー台、鏡、物品載置台等が備えられている。天井部、壁部、床面部等の素材は、繊維強化プラスチック（ＦＲＰ）等を含む樹脂や、ホーロー、ステンレス、人工大理石、木等が使用されている。ＦＲＰとしては、例えば、ポリエチレン繊維強化プラスチック（ＤＦＲＰ）、ガラス繊維強化プラスチック（ＧＦＲＰ）、ガラス長繊維強化プラスチック（ＧＭＴ）、炭素繊維強化プラスチック（ＣＦＲＰ）、ボロン繊維強化プラスチック（ＢＦＲＰ）、アラミド繊維強化プラスチック（ＡＦＲＰ，ＫＦＲＰ）、ザイロン強化プラスチック（ＺＦＲＰ）及び液晶ポリマー等が挙げられる。
本発明の除菌方法によれば、イソプロピルメチルフェノールを浴室を構成するこれらの素材の表面に付着させることができ、十分な除菌効果を得ることができる。中でも、本発明の除菌方法では、ＦＲＰ等を含む樹脂に対してイソプロピルメチルフェノールの付着性が優れており、優れた除菌効果を奏することができる。
【００３４】
次に、本発明の加熱蒸散剤を加熱する方法について説明する。
本発明の加熱蒸散剤を加熱する方法としては、加熱開始から１０分後の煙量が１０００ｃｐｍ以上となるように加熱できれば、その手段は特に限定されない。例えば、加水発熱システムを用いて加熱する方法、ヒーターなどの熱源に加熱蒸散剤を接触させて加熱する方法、直接加熱蒸散剤を着火して加熱する方法等が挙げられる。中でも、取り扱いの容易性、揮散したイソプロピルメチルフェノールの効率的な拡散性の観点から、加水発熱システムを用いることが好ましい。
【００３５】
以下に、加水発熱システムを用いた加熱蒸散剤の加熱方法について説明する。加水発熱システムとは、加水発熱物質と加水発熱反応用液とを加水発熱反応させるシステムのことである。加熱蒸散剤が加水発熱反応により発生した高温の反応熱を用いて加熱され、有効成分であるイソプロピルメチルフェノールを揮散する。加水発熱物質は加水発熱反応用液との反応により自己発熱する物質であり、例えば、酸化カルシウム（生石灰）、塩化マグネシウム、塩化アルミニウム等が挙げられる。加水発熱反応用液は水あるいは水に各種添加剤を加えられた液が挙げられる。そのような添加剤としては、イソプロピルメチルフェノールの揮散を妨げないものや、発熱物質に対する水の反応性を低下させないものであり、具体的には有機溶剤や液安定化剤を挙げることができる。
【００３６】
以下、前記のようなイソプロピルメチルフェノールを燻煙状で揮散させるのに好適な本発明の加熱蒸散用製剤の形態について説明する。
【００３７】
本発明の加熱蒸散用製剤は例えば、図１に示されるような、自己発熱装置１の形態で使用される。
自己発熱装置１は、有底円筒状の外容器２を備えており、外容器２の内部は、仕切部材４により２つの空間（加水発熱物質収納部と加熱蒸散剤収納部）に区画されている。仕切部材４は、円筒状で底部が略中空半球状を呈しており、その側壁が外容器２の周壁と同心状に配置され、プラスチック容器、紙容器、金属容器、セラミック容器、ガラス容器等からなる。外容器２は、底部及び側面の底部近傍の少なくとも一方に複数の通液部（通液孔）２１を有し、外容器２の底部に通液性を有する部材、例えば不織布シート３を設けることにより、通液部（通液孔）２１は塞がれている。
外容器２の内部（加水発熱物質収納部）には、その底部から側部にかけて加水発熱物質８が収容されている。具体的に、加水発熱物質８は、外容器２の周壁、仕切部材４及び不織布シート３とで形成される空間に充填（収納）されている。仕切部材４の内部（加熱蒸散剤収納部）には加熱蒸散剤７が収容される。また、外容器２の上部開放面には、仕切部材４の上部開放面に相当する領域に複数の開口部が形成された蓋部材５が被冠されており、更に蓋部材５の開口部は通気孔を有する熱溶融フィルム６によって塞がれている。
【００３８】
使用に際して、自己発熱装置１を加水発熱反応用液Ｗが入った容器９に入れる。すると、加水発熱反応用液Ｗが通液孔２１を通じて外容器２に流入し、更に不織布シート３を浸透して加水発熱物質８と接触し、そのとき発生した反応熱により加熱蒸散剤７が加熱されて、イソプロピルメチルフェノールが揮散して、熱溶融フィルム６により塞がれていた通気孔を通じて外部（屋内）に放出される。なお、熱溶融フィルム６は加熱蒸散剤７からの放熱並びに揮散した薬剤との接触により熱溶融するため、揮散の比較的早い時期から、揮散した薬剤は煙となって蓋部材５の開口部を通じて効率良く外部に放出される。
【００３９】
本発明の加熱蒸散用製剤の加熱温度としては仕切部材４の底部で測定した時に約２００〜５００℃、好ましくは約３００〜４００℃とするのがよい。
上記したように、自己発熱装置１で用いる加水発熱物質８は加水発熱反応用液との反応により自己発熱する物質であり、例えば、酸化カルシウム（生石灰）、塩化マグネシウム、塩化アルミニウム等が挙げられ、中でも、加水発熱反応用液と反応させたときの反応の速さ、入手の容易さの点から酸化カルシウムを用いるのが好ましい。加水発熱反応用液は、水あるいは水に各種添加剤を加えられた液が挙げられる。
【００４０】
本発明において、加熱発熱物質と加熱発熱反応用液は、良好に発熱させるのに質量比１：０．０１〜１：２で含有させるのがよい。さらに、加熱後に発生する煙量を１０００ｃｐｍ以上とし、イソプロピルメチルフェノールを浴室の天井や壁面、該浴室内に置かれた物品等に良好に付着させ、カビやその他雑菌等を有効に除菌するのに、加熱発熱物質と加熱発熱反応用液を質量比１：０．１〜１：０．５で含有させるのが好ましい。
【００４１】
加熱蒸散用製剤の浴室での設置場所は任意であるが、通常は、浴室の洗い場や浴槽の床面部に置かれる。また加熱時間は、例えば、１〜２０分であり、好ましくは１０分以下とするのがよい。
【００４２】
本発明の浴室の除菌方法により、イソプロピルメチルフェノールを浴室に隈なく行き渡らせることができるので、天井部、壁部の上部のような浴室を構成する壁面、照明装置、換気扇、シャワー台、鏡、物品載置台、スポンジ、タオル等の浴室内物品等に良好に付着させることができるため、浴室の除菌、特に防カビの目的に有効である。
本発明の除菌方法は、湿気が多くカビや雑菌等が繁殖しやすい浴室での使用に適しており、カビの発生しやすい浴室において、浴室の隅々にまでイソプロピルメチルフェノールを行き渡らせることができる。
【００４３】
また、本発明は、浴室の天井及び壁部のうちの少なくとも一方へのイソプロピルメチルフェノールの付着性を向上させる方法でもあり、少なくともイソプロピルメチルフェノール及びアゾジカルボンアミドを含有する加熱蒸散剤を加熱し、１０００ｃｐｍ以上の煙量となるように煙を発生させてイソプロピルメチルフェノールを燻煙状で揮散させることにより、イソプロピルメチルフェノールを浴室に隈なく行き渡らせることができる。特に、浴室の天井部や壁部（特に、上部）に対してイソプロピルメチルフェノールの付着を向上させることができ、中でも特に、ＦＲＰ等を含む樹脂素材から構成された浴室の天井部や壁部に対して良好に付着させることができ、これにより、浴室全体における除菌効果を高めることができる。
【実施例】
【００４４】
以下、本発明を下記実施例によりさらに説明するが、本発明は下記例に限定されるものではない。
【００４５】
使用した各成分は以下の通りである。
有効成分：イソプロピルメチルフェノール＜大阪化成株式会社製＞
有効成分：トリクロサン＜ＢＡＳＦ社製＞
有効成分：塩化セチルピリジニウム（略称：ＣＰＣ）＜メルク社製＞
有機発泡剤：アゾジカルボンアミド＜大塚化学株式会社製＞
蒸散助剤：酸化亜鉛
結合剤：α化デンプン
賦形剤：パーライト
【００４６】
（実施例１）
表１に記載の配合処方において、各成分を混合し、造粒、乾燥し、顆粒状の加熱蒸散剤を作製した。加熱蒸散剤１粒あたりの粒径は約１．５ｍｍ、長さは約５ｍｍである。
【００４７】
【表１】
0006355604.tif 000002
【００４８】
図１に示したような、直径５３ｍｍ、高さ６３ｍｍの有底円筒状の外容器２の内部に、直径３８ｍｍ、深さ４０ｍｍの有底円筒状の仕切部材４を備えた自己発熱装置１を作製した。外容器２の底部の通液孔２１を、通液性のある不織布シート３で塞いだ。外容器２と仕切部材４とで形成された空間に加水発熱物質８としての酸化カルシウム６５ｇをその底部から側部にかけて全体に充填した。仕切部材４の内部に上記作製した加熱蒸散剤５．７ｇ（有効成分量６００ｍｇ）を収容し、０．８ｃｍ２の開口部を７個有する蓋部材５を被せ、熱溶融フィルム６で蓋部材５の開口部を塞ぎ、加熱蒸散用製剤を作製した。
【００４９】
＜試験例１＞
４．４ｍ３（１．６ｍ（縦）×１．２５ｍ（横）×２．２ｍ（高さ））の密閉空間の浴室（ＦＲＰ材により形成、湿度約７０％）に、加熱蒸散用製剤を１つ設置するとともに、浴室の天井部、壁部及び床面部にそれぞれ、面積４００ｃｍ２の濾紙（ＡＤＶＡＮＴＥＣ社製「Ｎｏ．１定性濾紙  直径３６ｃｍの円形濾紙を２０ｃｍ×２０ｃｍの正方形に裁断したもの」）を設置した。
加熱蒸散用製剤の設置場所は浴室の床面の中央部とし、２２ｍＬの水（加水発熱反応用液）Ｗを入れた容器に浸けることにより加熱蒸散させた。
燻煙後９０分間無換気状態とし、その後、換気扇を稼働して３０分間浴室内を換気し、浴室の各箇所に設置した濾紙を回収し、濾紙に付着した有効成分をガスクロマトグラフィーにより分析し、定量した。濾紙への有効成分の付着量より、天井部、壁部及び床面部の各面に付着した有効成分の付着量を下記式（１）により算出した。また、各面への有効成分の付着量より、有効成分量６００ｍｇに対する各面への有効成分の付着割合を下記式（２）により算出した。なお、床面部の面積は浴槽を除いた面積とし、壁部の面積も浴槽と接地した一部を除いた面積とする。
各面への有効成分の付着量（ｍｇ）＝｛濾紙に付着した有効成分の付着量（ｍｇ）／濾紙の面積（０．０４ｍ２）｝×各面の面積（ｍ２）  ・・・（１）
各面への有効成分の付着割合（％）＝各面への有効成分の付着量（ｍｇ）／有効成分量（６００ｍｇ）×１００  ・・・（２）
【００５０】
試験は、検体１を用いて２回行い、検体２を用いて１回行った。それぞれの結果を表２に示す。
【００５１】
【表２】
0006355604.tif 000003
【００５２】
表２の結果より、イソプロピルメチルフェノールを用いた検体１は、浴室の天井部及び壁部への付着量が多く、床面部への落下が少ないのに対し、トリクロサンを用いた検体２では、浴室の天井部及び壁部への付着量が少なく、床面部への落下が非常に多い結果であった。
【００５３】
（実施例２）
表３に記載の配合処方において、各成分を混合し、造粒、乾燥し、顆粒状の加熱蒸散剤を作製した。加熱蒸散剤１粒あたりの粒径は約１．５ｍｍ、長さは約５ｍｍである。
実施例１と同様の自己発熱装置を作製し、仕切部材の内部に上記作製した加熱蒸散剤４．７ｇ（有効成分量６００ｍｇ）を収容し、加熱蒸散用製剤を作製した。
【００５４】
【表３】
0006355604.tif 000004
【００５５】
＜試験例２＞
４．４ｍ３（１．６ｍ（縦）×１．２５ｍ（横）×２．２ｍ（高さ））の密閉空間の浴室（ＦＲＰ材により形成、湿度約７０％）に、加熱蒸散用製剤を１つ設置するとともに、浴室の壁部上端から３０ｃｍの箇所にスポンジ（材質：ナイロン、東和産業株式会社製「ピカピカバスキンポケット」）を１つ設置した。
加熱蒸散用製剤の設置場所は浴室の床面の中央部とし、２２ｍＬの水（加水発熱反応用液）Ｗを入れた容器に浸けることにより加熱蒸散させた。
燻煙後９０分間無換気状態とし、その後、換気扇を稼働して３０分間浴室内を換気し、浴室に設置したスポンジを回収した。回収したスポンジからエタノール（９９．５％）により、有効成分を含む抽出液を得た。抽出液をガスクロマトグラフィーにより分析し、定量した。結果を表４に示す。
【００５６】
【表４】
0006355604.tif 000005
【００５７】
表４の結果より、スポンジに付着した検体３のイソプロピルメチルフェノールは、２．４ｍｇであったのに対し、スポンジ付着した検体４のトリクロサンは、１．６８ｍｇであり、イソプロピルメチルフェノールの付着量はトリクロサンに対し１．４３倍であった。
以上の結果から、本発明によれば、浴室内に一般的に存在する浴室内物品及び浴室内物品等に対しても良好に付着することが分かった。
【００５８】
（実施例３）
表５に記載の配合処方において、各成分を混合し、造粒、乾燥し、顆粒状の加熱蒸散剤（有効成分量３００ｍｇ）を作製した。加熱蒸散剤１粒あたりの粒径は約１．５ｍｍ、長さは約５ｍｍである。
実施例１と同様の自己発熱装置を作製し、仕切部材の内部に上記作製した加熱蒸散剤を収容し、加熱蒸散用製剤を作製した。
【００５９】
【表５】
0006355604.tif 000006
【００６０】
＜試験例３−１＞
検体５〜９、１３及び１４に対して、試験室における有効成分の濾紙への付着量と煙量を測定した。
約３２ｍ３（３．６ｍ（縦）×３．６ｍ（横）×２．５ｍ（高さ））の密閉空間の試験室に加熱蒸散用製剤を１つ設置するとともに、試験室の天井部、壁部及び床面部にそれぞれ、面積４００ｃｍ２の濾紙（ＡＤＶＡＮＴＥＣ社製「Ｎｏ．１定性濾紙  直径３６ｃｍの円形濾紙を２０ｃｍ×２０ｃｍの正方形に裁断したもの」）を設置した。
また、試験室の床面中央部の１２５ｃｍの高さに、デジタル粉塵計（柴田科学機器工業社製「Ｐ−５Ｈ２型」）を設置した。
加熱蒸散用製剤の設置場所は試験室の床面の中央部とし、２２ｍＬの水（加水発熱反応用液）Ｗを入れた容器に浸けることにより加熱蒸散させた。
燻煙後９０分間無換気状態とし、その後、換気扇を稼働して３０分間試験室内を換気し、試験室の各箇所に設置した濾紙を回収し、濾紙に付着した有効成分をガスクロマトグラフィーにより分析し、定量した。ただし、検体１４については、濾紙に付着した有効成分を液体クロマトグラフィーにより分析し、定量した。各面に設置した濾紙への有効成分の付着量より、天井部、壁部及び床面部の各面に付着した有効成分の付着量を下記式（３）により算出した。
各面への有効成分の付着量（ｍｇ／ｍ２）＝濾紙に付着した有効成分の付着量（ｍｇ）／濾紙の面積（０．０４ｍ２）  ・・・（３）
試験は２回行い、その平均値を求めた。各面への有効成分の付着量と煙量を表６に示す。
【００６１】
【表６】
0006355604.tif 000007
【００６２】
表６の結果より、加熱開始１０分後の煙量が１０００ｃｐｍ以上となるように煙を発生させた検体６〜９は、試験室の天井部だけでなく、壁部にも有効成分であるイソプロピルメチルフェノールが良好に付着することがわかった。一方、煙量が１０００ｃｐｍより少ない検体５は、壁部にイソプロピルメチルフェノールを十分に付着させることができず、試験室全体に行き渡らせることができなかった。
また、検体１３、１４は煙量が３９０２ｃｐｍ、３５３１ｃｐｍと、いずれも高い煙量であったが、検体１３は有効成分であるトリクロサンが天井部や壁部に届かずに床面部に落下し、検体１４は有効成分である塩化セチルピリジニウムをどの濾紙からも検出することができなかった。
【００６３】
このことから、有効成分としてイソプロピルメチルフェノールを用い、１０００ｃｐｍ以上の煙量で燻煙することにより、該イソプロピルメチルフェノールを試験室の天井部や壁部にまで効果的に付着させることができることがわかった。
【００６４】
＜試験例３−２＞
検体６〜９、１１〜１３に対して、試験室における煙量を測定した。
約３２ｍ３（３．６ｍ（縦）×３．６ｍ（横）×２．５ｍ（高さ））の密閉空間の床面中央部の１２５ｃｍの高さに、デジタル粉塵計（柴田科学機器工業社製「Ｐ−５Ｈ２型」）を設置した。床面に加熱蒸散用製剤を設置し、燻煙を開始してから１０分経過後に、煙量（ｃｐｍ）を測定した。試験は２回行い、その平均値を求めた。結果を表７に示す。
【００６５】
【表７】
0006355604.tif 000008
【００６６】
＜試験例３−３＞
検体６〜１３に対して、浴室における有効成分の濾紙への付着量を測定した。
４．４ｍ３（１．６ｍ（縦）×１．２５ｍ（横）×２．２ｍ（高さ））の密閉空間の浴室（ＦＲＰ材により形成、湿度約７０％）に、加熱蒸散用製剤を１つ設置するとともに、浴室の天井部、壁部及び床面部にそれぞれ、面積４００ｃｍ２の濾紙（ＡＤＶＡＮＴＥＣ社製「Ｎｏ．１定性濾紙  直径３６ｃｍの円形濾紙を２０ｃｍ×２０ｃｍの正方形に裁断したもの」）を設置した。
加熱蒸散用製剤の設置場所は浴室の床面の中央部とし、２２ｍＬの水（加水発熱反応用液）Ｗを入れた容器に浸けることにより加熱蒸散させた。
燻煙後９０分間無換気状態とし、その後、換気扇を稼働して３０分間浴室内を換気し、浴室の各箇所に設置した濾紙を回収し、濾紙に付着した有効成分をガスクロマトグラフィーにより分析し、定量した。
各面への有効成分の付着量は上記試験例３−１に記載した式（３）を用いて算出した。結果を表８に示す。
【００６７】
【表８】
0006355604.tif 000009
【００６８】
表７及び表８の結果から、検体６〜９は有効成分であるイソプロピルメチルフェノールが浴室の天井部及び壁部に十分に付着しており、浴室内の各箇所に万遍なく付着していることが分かった。一方、有効成分がトリクロサンである検体１０〜１３は、煙量が１０００ｃｐｍ以上となるように燻煙させても、浴室内の天井部及び壁部に付着せず、床面部に大部分が落下し、浴室内全体にわたり有効成分を付着できないことが分かった。
以上から、有効成分としてイソプロピルメチルフェノールを用いた場合は、特定範囲の煙量によって、湿度を有する浴室であっても、床面部に落下することなく、天井部及び壁部により多く付着させ、良好に除菌が可能であることが分かった。
【００６９】
（実施例４）
表９に記載の配合処方において、各成分を混合し、造粒、乾燥し、顆粒状の加熱蒸散剤（検体８）を作製した。加熱蒸散剤１粒あたりの粒径は約１．５ｍｍ、長さは約５ｍｍである。
実施例１と同様の自己発熱装置を作製し、仕切部材の内部に上記作製した加熱蒸散剤４ｇ（有効成分量３００ｍｇ）を収容し、加熱蒸散用製剤を作製した。
【００７０】
【表９】
0006355604.tif 000010
【００７１】
＜試験例４＞
１．試験板の作製
ポテトスターチ４ｇ、デキストロース２０ｇ及び寒天１５ｇを精製水１０００ｍＬに溶解してＰＤＡ（Potato Dextrose Agar）培地を調製した。ＰＤＡ液体培地を試験管に１０ｍＬずつ分注し、シリコン栓で蓋をしてオートクレーブをかけ、斜めに静置して固め、ＰＤＡ斜面培地を作製した。
クロカワカビ（C.cladosporioides NBRC 6348）をＰＤＡ斜面培地に植え継ぎ、２５℃で４日間培養した。培養後、試験管に生理食塩水１０ｍＬを加え、滅菌ループで菌体を掻き取った後、ガーゼでろ過してクロカワカビ胞子液とした。
続いて、クロカワカビ胞子液１００μＬを試験板（ＦＲＰ、５ｃｍ×５ｃｍ）の表面１ｃｍ２あたりに４μＬずつ均等に２５カ所に分けて滴下し、室温で３０分間乾燥固定させた。
【００７２】
２．除菌試験
上記作製した加熱蒸散用製剤に対して、ＦＲＰ板上のクロカワカビの除菌率を求めた。
図２に示すように、４．４ｍ３（１．６ｍ（縦）×１．２５ｍ（横）×２．２ｍ（高さ））の密閉空間の浴室１５（ＦＲＰ材により形成）の天井部１６、壁部１７及び床面部１８に、上記作製した試験板（試験板ＴＰ１〜ＴＰ９）をそれぞれ３つずつ設置した。なお、天井部１６においては、試験板ＴＰ２を天井部１６の略中央に設置し、天井部１６の対角線上に略中央から８０ｃｍの位置に試験板ＴＰ１及び試験板ＴＰ３をそれぞれ設置した。壁部１７においては、試験板ＴＰ５を壁部１７の略中央に設置し、壁部１７の垂直方向に沿って略中央から７０ｃｍの位置に試験板ＴＰ４及び試験板ＴＰ６をそれぞれ設置した。そして、床面部１８においては、試験板８を床面部１８の試験板ＴＰ２と対向する位置に設置し、床面部１８の縦方向に沿って試験板８の中央から４０ｃｍの位置に試験板ＴＰ７及び試験板ＴＰ９をそれぞれ設置した。
上記作製した加熱蒸散用製剤１１を浴室１５の床面部１８の中央部に設置し、２２ｍＬの水（加水発熱反応用液）を入れた容器に浸けることにより加熱蒸散させた。
燻煙後９０分間無換気状態とし、その後、換気扇を稼働して３０分間、浴室１５内の換気を行った。
【００７３】
換気後、試験板ＴＰ１〜ＴＰ９をストマッカー袋（商品名：ストマッカー用袋（小）、サイズ：１５ｃｍ×１１ｃｍ、材質：ナイロン，ポリエチレン、株式会社アテクト製）に回収し、１０ｍＬのＧＰＬＰ液体培地を加え、ＦＲＰ板上のクロカワカビを洗い出し、菌数測定用試料液とした。なお、ＧＰＬＰ液体培地は、グルコース２０ｇ、酵母エキス２ｇ、硫酸マグネシウム０．５ｇ、カゼインペプチド５ｇ、リン酸二水素カリウム１ｇ、レシチン１ｇ及びポリソルベート８０の７ｇを精製水１０００ｍＬに溶解して調製した。
菌数測定用試料液を１０倍、１００倍、１０００倍及び１００００倍希釈し、シャーレにＰＤＡ液体培地を分注して固めたＰＤＡ平面培地に１００μＬずつ塗沫し、２５℃で４日間培養後、コロニー数を計数し、生残菌数とした。
対照として、燻煙に供する前のＦＲＰ板を上記と同様にストマッカー袋に回収し、１０ｍＬのＧＰＬＰ液体培地を加え、ＦＲＰ板を洗い出したものを未処理液とし、未処理液を１０倍、１００倍、１０００倍及び１００００倍希釈し、シャーレに分注したＰＤＡ平面培地に１００μＬずつ塗沫し、２５℃で４日間培養後、コロニー数を計数し、生残菌数とした。
【００７４】
未処理液を処理したＰＤＡ平面培地上のコロニー数が１００〜２００コロニーとなる希釈倍率において、同じ希釈倍率の菌数測定用試料液を処理したＰＤＡ平面培地上のコロニー数を計数し、菌数測定用試料液を処理したもの（検体処理時）と未処理のもの（未処理時）の生残菌数から、クロカワカビの除菌率を下記式（４）により算出した。結果を表１０に示す。
除菌率（％）＝（未処理時の生残菌数−検体処理時の生残菌数）／（未処理時の生残菌数）×１００  ・・・（４）
【００７５】
【表１０】
0006355604.tif 000011
【００７６】
表１０の結果より、イソプロピルメチルフェノールを含有する検体８を用いて作製した加熱蒸散用製剤は、浴室の天井部及び壁部におけるクロカワカビの除菌率が全て１００％であり、確実に除菌効果が得られることがわかった。また、天井部、壁部における除菌率は、床面部と比べても高い結果であり、本発明の除菌方法により、特に浴室の上部の壁面に対してイソプロピルメチルフェノールを付着させることができ、より高い除菌効果が得られることがわかった。
【００７７】
本発明を実施するにあたり、有効な処方例は表１１のとおりである。
【００７８】
【表１１】
0006355604.tif 000012
【符号の説明】
【００７９】
１    自己発熱装置
２    外容器
３    不織布シート
４    仕切部材
５    蓋部材
６    熱溶融フィルム
７    加熱蒸散剤
８    加水発熱物質
９    容器
１１  加熱蒸散用製剤
１５  浴室
１６  天井部
１７  壁部
１８  床面部
２１  通液部（通液孔）
Ｗ    加水発熱反応用液（水）
ＴＰ１〜ＴＰ９  試験板
【図１】
0006355604.tif 000013
【図２】
0006355604.tif 000014